(57)【要約】【課題】汚れの掻き取り力、所要の保水力、洗剤の保持力、さらには、掻き取られた汚れの一定の捕捉力を備えた「たわし」を簡素で入手容易な材料を持って容易且つ適切に構成できるようにする。【解決手段】汚れの掻き取りを可能とする剛性を備えた線状体１と、発泡プラスチック、合成繊維製の織生地又は合成繊維製の編生地よりなり前記線状体１と実質的に等しい長さを持った片状体２と、金属線材３とを有する。前記線状体１及び前記片状体２を挟んだ二つ折り状態で捩られた前記金属線材３によって前記金属線材３を中心とした放射方向に延び出す複数の前記線状体１及び前記片状体２よりなる擦拭部を備えてなる。【選択図】図５
2017070645.tif 000002
【特許請求の範囲】
【請求項１】
汚れの掻き取りを可能とする剛性を備えた線状体と、
発泡プラスチック、合成繊維製の織生地又は合成繊維製の編生地よりなり前記線状体と実質的に等しい長さを持った片状体と、
金属線材とを有し、
前記線状体及び前記片状体を挟んだ二つ折り状態で捩られた前記金属線材によって前記金属線材を中心とした放射方向に延び出す複数の前記線状体及び前記片状体よりなる擦拭部を備えてなる、たわし。
【請求項２】
前記金属線材の折った箇所と、前記金属線材の両端末とを、前記金属線材を湾曲させて止着させて、全体として環状をなす、請求項１に記載のたわし。
【請求項３】
前記金属線材の長さ方向において、複数の前記線状体よりなる擦拭部間に、一つの前記片状体よりなる擦拭部が配されるようにしてなる、請求項１又は請求項２に記載のたわし。
【発明の詳細な説明】
【技術分野】
【０００１】
この発明は、各種の洗浄対象物の洗浄に利用される「たわし」の改良に関する。
【背景技術】
【０００２】
ブラシ付スポンジたわし、として、特許文献１に示されるものがある。この特許文献１のものは、たわしに、スポンジの機能と、ブラシ毛の機能を併有させるものである。この特許文献１のものは、基板にブラシ毛を植設させてなるブラシ体を、スポンジに設けた凹部にはめ込んだ構成となっている。したがって、この特許文献１のものにあっては、ブラシ毛の先端側が擦拭部の一部を形成している前記凹部の入り口側において、前記スポンジの機能とブラシ毛の機能の双方が発揮されることとなる。
【先行技術文献】
【特許文献】
【０００３】
【特許文献１】実開昭６２−８５１９１号公報
【発明の概要】
【発明が解決しようとする課題】
【０００４】
この発明が解決しようとする主たる問題点は、汚れの掻き取り力、所要の保水力、洗剤の保持力、さらには、掻き取られた汚れの一定の捕捉力を備えた「たわし」を簡素で入手容易な材料を持って容易且つ適切に構成できるようにする点にある。
【課題を解決するための手段】
【０００５】
前記課題を達成するために、この発明にあっては、たわしを、汚れの掻き取りを可能とする剛性を備えた線状体と、
発泡プラスチック、合成繊維製の織生地又は合成繊維製の編生地よりなり前記線状体と実質的に等しい長さを持った片状体と、
金属線材とを有し、
前記線状体及び前記片状体を挟んだ二つ折り状態で捩られた前記金属線材によって前記金属線材を中心とした放射方向に延び出す複数の前記線状体及び前記片状体よりなる擦拭部を備えてなる、ものとした。
【０００６】
かかるたわしは、前記線状体によって所要の汚れの掻き取り力を有すると共に、前記片状体によって所要の保水力、洗剤の保持力を備え、さらには、掻き取られた汚れの一定の捕捉力を備える。これにより、効果的な洗浄が可能であり、洗剤を用いる場合には泡立ちが良好となる。また、前記線状体と前記片状体とは、性状、風合いが異なることから、たわしに独自の外観性を付与することができる。
【０００７】
前記金属線材の折った箇所と、前記金属線材の両端末とを、前記金属線材を湾曲させて止着させて、全体として環状をなすようにすることが、この発明の好ましい態様の一つとされる。
【０００８】
また、前記金属線材の長さ方向において、複数の前記線状体よりなる擦拭部間に、一つの前記片状体よりなる擦拭部が配されるようにすることが、この発明の好ましい態様の一つとされる。
【発明の効果】
【０００９】
この発明によれば、汚れの掻き取り力、所要の保水力、洗剤の保持力、さらには、掻き取られた汚れの一定の捕捉力を備えた「たわし」を簡素で入手容易な材料を持って容易且つ適切に構成することができる。
【図面の簡単な説明】
【００１０】
【図１】図１は、この発明の一実施の形態のたわしを構成する各部材の分離斜視構成図である。
【図２】図２は、二つ折りにした金属線材間に、多数の線状体と、複数の片状体を挟み入れた状態を示した前記たわしの製造工程の一つの斜視構成図である。
【図３】図３は、図２の状態から前記金属線材を捩って円柱状ないしは棒状のたわしとした状態を示した前記たわしの製造工程の一つの斜視構成図である。
【図４】図４は、図３の状態から前記円柱状あるいは棒状をなすたわしの外面に相当する箇所が滑らかになるように多数の線状体と複数の片状体の先端をカットした状態を示した前記たわしの製造工程の一つの斜視構成図である。
【図５】図５は、図４の状態から前記金属線材の折った箇所と、前記金属線材の両端末とを、前記金属線材を湾曲させて止着させて、全体として環状をなす、たわしの斜視構成図である。
【発明を実施するための形態】
【００１１】
以下、図１〜図５に基づいて、この発明の典型的な実施の形態について、説明する。
【００１２】
この実施の形態のたわしは、典型的には洗浄対象物側を濡らすなどした状態で、あるいは、たわし側に水や洗剤などを含ませた状態で、各種の洗浄対象物に押しつけこすりつけることで、これに付着などした様々な汚れ（塵埃、塵芥、食べかす、垢、錆など）を、効果的に除去し得るものである。
【００１３】
典型的には、この実施の形態のたわしは、食器、身体、フロア、什器などの洗浄に利用可能である。図示は省略するが、たわしには、必要に応じて持ち手や柄が取り付けられ、このようにした場合、この実施の形態のたわしは、便器、靴などの洗浄に都合良く利用可能な形態となる。
【００１４】
この実施の形態のたわしは、（１）汚れの掻き取りを可能とする剛性を備えた線状体１と、
（２）発泡プラスチック、合成繊維製の織生地又は合成繊維製の編生地よりなり前記線状体１と実質的に等しい長さを持った片状体２と、
（３）金属線材３（針金）とを有している。
【００１５】
前記線状体１は、前記のような剛性ないしは「こわさ」を備えた植物繊維、動物繊維、又は、合成繊維である。前記線状体１は、典型的にはブラシ毛としても利用可能な剛性ないしは「こわさ」を備えたものを用いる。より具体的には、たわしを、食器洗い用とする場合には、前記植物繊維としては、シュロの樹皮からなる植物繊維、椰子の実や葉からなる植物繊維などを用いるのが好適である。一つのたわしには、多数ないしは無数の前記線状体１、１…が利用される。一つのたわしには、二種以上の線状体１、例えば、多数の植物繊維と多数の合成繊維とが利用されていても構わない。
【００１６】
前記片状体２は、前記線状体１よりも軟らかく、柔軟性を備えている。また、かかる片状体２としては、水や洗剤などが含浸し易く、これらに対する一定の保持力を備えたものを用いることが最適である。例えば、かかる片状体２としては、身体の洗浄用の「あかすりタオル」を構成する生地などを用いることが好適である。片状体２は、前記線状体１と実質的に等しい長さを持つように用意される。すなわち、かかる片状体２は、長さと幅とをもった帯状体、あるいは、一定の厚さないし太さを持った長尺体である。一つのたわしには、典型的には、複数の、あるいは、多数の前記片状体２が利用される。一つのたわしには、二種以上の片状体２、例えば、複数の合成繊維性の編生地よりなる片状体２と複数の発泡プラスチックよりなる片状体２とが利用されていても構わない。
【００１７】
そして、この実施の形態のたわしは、前記線状体１及び前記片状体２を挟んだ二つ折り状態で捩られた前記金属線材３によって前記金属線材３を中心とした放射方向に延び出す複数の前記線状体１及び前記片状体２よりなる擦拭部を備えている。
【００１８】
この実施の形態のたわしの好適な製造工程は次の通りである。
（ステップ１）多数の前記線状体１、１…と、複数の前記片状体２、２…と、前記金属線材３を用意する（図１）。
（ステップ２）二つ折りにした金属線材３における、折った箇所３ａと一方の端末３ｂとの間の一方部分３ｃと、折った箇所３ａと他方の端末３ｂとの間の他方部分３ｄとの間に、金属線材３の長さ方向において並列状をなすようにして、多数の前記線状体１、１…と、複数の前記片状体２、２…とを挟み込む。より具体的には、各線状体１の長さ方向ほぼ中程の位置と、各片状体２の長さ方向ほぼ中程の位置を、前記一方部分３ｃと他方部分３ｄとの間で挟み付ける（図２）。
（ステップ３）図２の状態から金属線材３をねじる。典型的には、前記折った箇所３ａと前記両端末３ｂとをそれぞれ固定して金属線材３を巻き上げるようにする。これにより、前記のように挟まれた多数の前記線状体１、１…と複数の前記片状体２、２…によって円柱状あるいは棒状を呈した、たわしが構成される（図３）。すなわち、前記金属線材３に図２のように挟み込まれて面状を呈する多数の線状体１と複数の片状体２は、前記巻き上げにより前記折った箇所３ａから離れるに従って前記面との間に一定の角度を持つように変位し、全体として円柱状あるいは棒状をなすように立体化される（図３）。
（ステップ４）図３の状態から、前記円柱状あるいは棒状をなすたわしの外面に相当する箇所が滑らかになるように多数の線状体１と複数の片状体２の先端をカットする（図４）。
【００１９】
この実施の形態にあっては、このようにして得られたたわしの、前記金属線材３の折った箇所３ａと、前記金属線材３の両端末３ｂとを、前記金属線材３を湾曲させて止着させて、全体として環状をなすようにしている（図５）。
【００２０】
また、この実施の形態にあっては、前記金属線材３の長さ方向において、複数の前記線状体１よりなる擦拭部間に、一つの前記片状体２よりなる擦拭部が配されるようにしている。具体的には、この実施の形態にあっては、前記ステップ２において、多数の前記線状体１、１…を並列させた後に、一つの前記片状体２を金属線材３に挟み、これに続き再び多数の前記線状体１、１…を並列させるようにしている。
【００２１】
この実施の形態のたわしは、前記線状体１によって所要の汚れの掻き取り力を有すると共に、前記片状体２によって所要の保水力、洗剤の保持力を備え、さらには、掻き取られた汚れの一定の捕捉力を備える。これにより、効果的な洗浄が可能であり、洗剤を用いる場合には泡立ちが良好となる。また、前記線状体１と前記片状体２とは、性状、風合いが異なることから、たわしに独自の外観性を付与することができる。
【００２２】
一つのたわしを構成する前記線状体１の量と前記片状体２の量との比率を変えることで、前記掻き取り力、保水力、保持力、捕捉力のバランスを調整することができる。
【００２３】
なお、当然のことながら、本発明は以上に説明した実施形態に限定されるものではなく、本発明の目的を達成し得るすべての実施形態を含むものである。
【符号の説明】
【００２４】
１  線状体
２  片状体
３  金属線材
【図１】
2017070645.tif 000003
【図２】
2017070645.tif 000004
【図３】
2017070645.tif 000005
【図４】
2017070645.tif 000006
【図５】
2017070645.tif 000007